(57)【要約】【課題】電子機器の信頼性の向上を図る。【解決手段】印刷装置１には、外部と通信可能なＲＦＩＤタグ２２を有するインクカートリッジ２１が装着される。タグ通信部４は、ＲＦＩＤタグ２２と通信する。制御部６は、特定コマンドのみに応答する特定状態にＲＦＩＤタグ２２を遷移させるコマンドをタグ通信部４からＲＦＩＤタグ２２へ送信させてＲＦＩＤタグ２２を特定状態とし、ＲＦＩＤタグ２２へタグ通信部４から特定コマンドを送信させ、特定コマンドに対するＲＦＩＤタグ２２の応答性に基づき、ＲＦＩＤタグ２２とタグ通信部４との間の通信性を確認する。【選択図】図１
2020181239.tif 000002
【特許請求の範囲】
【請求項１】
外部と通信可能なタグを有する装着ユニットが装着される電子機器であって、
前記タグと通信するタグ通信部と、
前記タグ通信部を制御する制御部とを備え、
前記制御部は、
特定コマンドのみに応答する特定状態に前記タグを遷移させるコマンドを前記タグ通信部から前記タグへ送信させて前記タグを前記特定状態とし、
前記タグへ前記タグ通信部から前記特定コマンドを送信させ、前記特定コマンドに対する前記タグの応答性に基づき、前記タグと前記タグ通信部との間の通信性を確認することを特徴とする電子機器。
【請求項２】
前記特定状態は、前記電子機器から前記タグへの供給電力が制限された状態であることを特徴とする請求項１に記載の電子機器。
【請求項３】
電子機器に装着される装着ユニットであって、
前記電子機器と通信するタグを備え、
前記タグは、前記電子機器からのコマンドに従って特定コマンドのみに応答する特定状態になり、前記電子機器から送信された前記特定コマンドに応答することを特徴とする装着ユニット。
【請求項４】
前記特定状態は、前記電子機器から前記タグへの供給電力が制限された状態であることを特徴とする請求項３に記載の装着ユニット。
【請求項５】
前記タグは、前記電子機器からの供給電力が制限された状態において自力電力で動作することを特徴とする請求項４に記載の装着ユニット。
【請求項６】
電子機器に装着された装着ユニットのタグを特定コマンドのみに応答する特定状態に遷移させ、
前記電子機器のタグ通信部から前記特定状態の前記タグへ前記特定コマンドを送信し、前記特定コマンドに対する前記タグの応答性に基づき、前記タグと前記タグ通信部との間の通信性を確認することを特徴とする通信方法。
【請求項７】
前記特定状態は、前記電子機器から前記タグへの供給電力が制限された状態であることを特徴とする請求項６に記載の通信方法。
【請求項８】
電子機器と通信するタグを備え、前記電子機器に装着される装着ユニットにおける通信方法であって、
前記タグが、前記電子機器からのコマンドに従って特定コマンドのみに応答する状態になり、前記電子機器から送信された前記特定コマンドに応答することを特徴とする通信方法。
【発明の詳細な説明】
【技術分野】
【０００１】
本発明は、電子機器、装着ユニットおよび通信方法に関する。
【背景技術】
【０００２】
印刷装置等の電子機器において、インク等の消耗品を保持する装着ユニットを装着して使用するものがある。
【０００３】
このような電子機器で使用される装着ユニットとして、消耗品に関する情報等を記憶したＲＦＩＤタグ等のタグを搭載したものがある。この装着ユニットを用いる電子機器には、タグとの間で情報の送受信が可能なタグ通信部が設けられている。この電子機器では、装着ユニットが装着されると、装着ユニットのタグとタグ通信部との間で通信が行われ、タグから情報が読み取られるようになっている（特許文献１参照）。
【先行技術文献】
【特許文献】
【０００４】
【特許文献１】特開２０１２−５３７４２号公報
【発明の概要】
【発明が解決しようとする課題】
【０００５】
上述のような電子機器のタグ通信部と装着ユニットのタグとの間では、さまざまなコマンドおよび応答信号がやり取りされる。
【０００６】
これに対し、装着ユニットのタグが、全コマンドのうちの一部である特定コマンドのみに応答する状態がある。
【０００７】
例えば、何らかの理由により電子機器からタグに供給される電力が制限された状態になった場合でも、重要なコマンドは通信できるように、タグが重要なコマンドである特定コマンドのみに応答する状態とすることがある。
【０００８】
このような状態では、重要なコマンドである特定コマンドの通信を行うため、タグとタグ通信部との間の通信の安定化が望まれる。この通信が不安定である場合には、電子機器の信頼性の低下を招く。
【０００９】
本発明は上記に鑑みてなされたもので、信頼性を向上できる電子機器、装着ユニットおよび通信方法を提供することを目的とする。
【課題を解決するための手段】
【００１０】
本発明の一態様によれば、外部と通信可能なタグを有する装着ユニットが装着される電子機器であって、前記タグと通信するタグ通信部と、前記タグ通信部を制御する制御部とを備え、前記制御部は、特定コマンドのみに応答する特定状態に前記タグを遷移させるコマンドを前記タグ通信部から前記タグへ送信させて前記タグを前記特定状態とし、前記タグへ前記タグ通信部から前記特定コマンドを送信させ、前記特定コマンドに対する前記タグの応答性に基づき、前記タグと前記タグ通信部との間の通信性を確認することを特徴とする電子機器が提供される。
【００１１】
本発明の他の態様によれば、電子機器に装着される装着ユニットであって、前記電子機器と通信するタグを備え、前記タグは、前記電子機器からのコマンドに従って特定コマンドのみに応答する特定状態になり、前記電子機器から送信された前記特定コマンドに応答することを特徴とする装着ユニットが提供される。
【００１２】
本発明の他の態様によれば、電子機器に装着された装着ユニットのタグを特定コマンドのみに応答する特定状態に遷移させ、前記電子機器のタグ通信部から前記特定状態の前記タグへ前記特定コマンドを送信し、前記特定コマンドに対する前記タグの応答性に基づき、前記タグと前記タグ通信部との間の通信性を確認することを特徴とする通信方法が提供される。
【００１３】
本発明の他の態様によれば、電子機器と通信するタグを備え、前記電子機器に装着される装着ユニットにおける通信方法であって、前記タグが、前記電子機器からのコマンドに従って特定コマンドのみに応答する状態になり、前記電子機器から送信された前記特定コマンドに応答することを特徴とする通信方法が提供される。
【発明の効果】
【００１４】
本発明によれば、電子機器の信頼性を向上できる。
【図面の簡単な説明】
【００１５】
【図１】実施の形態に係る印刷装置の構成を示すブロック図である。
【図２】ＲＦＩＤタグの状態遷移の説明図である。
【図３】通信確認処理を説明するためのシーケンス図である。
【発明を実施するための形態】
【００１６】
以下、本発明の実施の形態について、図面を参照して説明する。
【００１７】
図１は、本発明の実施の形態に係る印刷装置の構成を示すブロック図である。
【００１８】
図１に示すように、本実施の形態に係る印刷装置（電子機器に相当）１は、印刷部２と、操作パネル３と、４つのタグ通信部４と、４つの装着部５と、制御部６とを備える。
【００１９】
印刷部２は、搬送部（図示せず）により搬送される用紙に印刷を行う。印刷部２は、４つのインクジェットヘッド１１を備える。
【００２０】
インクジェットヘッド１１は、用紙にインクを吐出して画像を形成する。４つのインクジェットヘッド１１は、それぞれ異なる色（例えば、ブラック、シアン、マゼンタ、イエロー）のインクを吐出する。
【００２１】
操作パネル３は、各種の入力画面等を表示するとともに、ユーザによる入力操作を受け付ける。操作パネル３は、各種の操作キー、タッチパネル等を有する入力部と、液晶表示パネル等を有する表示部（いずれも図示せず）とを備える。
【００２２】
タグ通信部４は、後述するインクカートリッジ（装着ユニットに相当）２１のＲＦＩＤタグ（タグに相当）２２と通信する。タグ通信部４は、装着部５に装着されたインクカートリッジ２１のＲＦＩＤタグ２２からの情報の読み取りおよびＲＦＩＤタグ２２への情報の書き込みを無線通信によって行うリーダライタ装置である。タグ通信部４は、４つの装着部５のそれぞれに１つずつ対応して設けられ、対応する装着部５に近接して配置されている。
【００２３】
装着部５は、インクカートリッジ２１が交換可能に装着される部分である。各装着部５に１つずつインクカートリッジ２１が装着可能である。装着部５は、４つのインクジェットヘッド１１のそれぞれに１つずつ対応して設けられ、対応するインクジェットヘッド１１が吐出する色のインクを保持するインクカートリッジ２１が装着される。４つの装着部５は、印刷装置１において、並列して配置されている。
【００２４】
インクカートリッジ２１は、印刷装置１で印刷に使用されるインクを保持している。また、インクカートリッジ２１は、外部と通信可能なＲＦＩＤタグ２２を有する。インクカートリッジ２１が装着部５に装着されると、当該装着部５に対応するタグ通信部４と、装着部５に装着されたインクカートリッジ２１のＲＦＩＤタグ２２とが通信可能になる。
【００２５】
ＲＦＩＤタグ２２は、インクカートリッジ２１に固有のＵＩＤ（識別子）、インクカートリッジ２１が保持するインクの粘度や表面張力等を示すインク物性情報、インク残量情報等の各種の情報を記憶するメモリ（図示せず）を有する。ＲＦＩＤタグ２２は、タグ通信部４から送信される各種のコマンドに従ってメモリからの情報の読み出し等を行い、タグ通信部４に応答信号を送信する。
【００２６】
ＲＦＩＤタグ２２には、印刷装置１から電力が供給される。ＲＦＩＤタグ２２は、タグ通信部４との間で通信を行うのに十分な電力が印刷装置１から供給されている状態である通常状態では、印刷装置１から供給される電力により動作する。通常状態では、ＲＦＩＤタグ２２は、すべてのコマンドに応答する。
【００２７】
ＲＦＩＤタグ２２は、印刷装置１からの供給電力が制限された状態である電力制限状態（特定状態に相当）となることがある。例えば、ＲＦＩＤタグ２２は、何らかの不具合等により、印刷装置１からの供給電力が通常状態よりも少なくなることで、電力制限状態となることがある。また、ＲＦＩＤタグ２２は、印刷装置１がスリープ状態になったことや、印刷装置１からのコマンドにより、電力制限状態の１つであるスリープ状態になることがある。ここで、電力制限状態は、印刷装置１からの供給電力がない状態を含む。
【００２８】
ＲＦＩＤタグ２２は、電力制限状態では、特定コマンドのみに応答する。特定コマンドは、印刷装置１からＲＦＩＤタグ２２への供給電力が通常状態よりも少なく制限されている状態でも通信したい重要なコマンドである。特定コマンドとしては、印刷装置１がインクカートリッジ２１のＵＩＤを取得するためのＵＩＤ取得コマンド等がある。
【００２９】
ＲＦＩＤタグ２２は、電力制限状態では、自力電力で動作することで、特定コマンドに対する応答を行う。ここで、ＲＦＩＤタグ２２は、電気を貯める機構を有しており、通常状態において電気を貯めている。電力制限状態では、ＲＦＩＤタグ２２は、貯めている電気を用いることで、自力電力で動作することができる。
【００３０】
ＲＦＩＤタグ２２は、図２に示すように、タグ通信部４からのコマンドに従って通常状態とスリープ状態との間で状態遷移が可能になっている。このコマンドによる状態遷移は、後述する通信確認処理において行われる。
【００３１】
ＲＦＩＤタグ２２は、通信確認処理において、ＲＦＩＤタグ２２を通常状態からスリープ状態に遷移させるためのスリープ状態遷移コマンドを受信すると、通常状態からスリープ状態へ遷移する。スリープ状態のＲＦＩＤタグ２２は、特定コマンドには応答する。ここで、スリープ状態のＲＦＩＤタグ２２は、特定コマンド以外のコマンドが送信されたとしても、そのコマンドには応答しない。ＲＦＩＤタグ２２をスリープ状態から通常状態に遷移させるための通常状態遷移コマンドを受信すると、ＲＦＩＤタグ２２は、スリープ状態から通常状態に戻り、その旨の応答を行う。
【００３２】
なお、印刷装置１がスリープ状態になることに伴ってＲＦＩＤタグ２２がスリープ状態になった場合は、スリープ状態の印刷装置１からコマンドが送信されることはないため、ＲＦＩＤタグ２２がコマンドを受けてそれに応答することもない。
【００３３】
制御部６は、印刷装置１全体の動作を制御する。制御部６は、ＣＰＵ、ＲＡＭ、ＲＯＭ、ハードディスク等を備えて構成される。
【００３４】
制御部６は、所定のタイミングにおいて、通信確認処理を実行する。通信確認処理は、ＲＦＩＤタグ２２が電力制限状態である場合におけるＲＦＩＤタグ２２とタグ通信部４との間の通信性（通信が正常に行われるか否か）を確認するための処理である。
【００３５】
通信確認処理において、制御部６は、スリープ状態遷移コマンドをタグ通信部４からＲＦＩＤタグ２２へ送信させてＲＦＩＤタグ２２をスリープ状態とする。そして、制御部６は、スリープ状態のＲＦＩＤタグ２２へタグ通信部４から特定コマンドを送信させ、この特定コマンドに対するＲＦＩＤタグ２２の応答性に基づき、ＲＦＩＤタグ２２とタグ通信部４との間の通信性を確認する。
【００３６】
ここで、印刷装置１とインクカートリッジ２１との間では、ＲＦＩＤタグ２２が電力制限状態の１つであるスリープ状態における通信性が正常であれば、スリープ状態以外の電力制限状態における通信性も正常であるといえる。このため、通信制確認処理では、ＲＦＩＤタグ２２をスリープ状態として、電力制限状態における通信性の確認を行う。
【００３７】
次に、通信確認処理について、図３のシーケンス図を参照して説明する。
【００３８】
通信確認処理は、例えば、インクカートリッジ２１の装着時、印刷装置１の電源投入時、印刷装置１の電源遮断時、規定時間ごとの定期的なタイミングに行われる。通信確認処理を行う際は、すべてのインクカートリッジ２１のＲＦＩＤタグ２２とそれぞれに対応するタグ通信部４との間の通信確認処理を行ってもよいし、一部のインクカートリッジ２１のＲＦＩＤタグ２２とそれに対応するタグ通信部４との間の通信確認処理のみを行ってもよい。
【００３９】
ここでは、１つのインクカートリッジ２１のＲＦＩＤタグ２２とそれに対応するタグ通信部４との間の通信確認処理として説明する。
【００４０】
図３のステップＳ１において、制御部６は、スリープ状態遷移要求をタグ通信部４に送信する。
【００４１】
タグ通信部４は、スリープ状態遷移要求を受信すると、ステップＳ２において、スリープ状態遷移コマンドをＲＦＩＤタグ２２に送信する。
【００４２】
スリープ状態遷移コマンドを受信したＲＦＩＤタグ２２は、通常状態からスリープ状態へ遷移する。ここで、前述のように、スリープ状態では、ＲＦＩＤタグ２２は、自力電力で動作する。
【００４３】
タグ通信部４は、ＲＦＩＤタグ２２にスリープ状態遷移コマンドを送信すると、ステップＳ３において、スリープ状態遷移要求に対して応答する。具体的には、タグ通信部４は、スリープ状態遷移コマンドをＲＦＩＤタグ２２に送信したことを通知するための応答信号を制御部６に送信する。
【００４４】
制御部６は、応答信号を受信すると、ステップＳ４において、特定コマンド送信要求をタグ通信部４に送信する。
【００４５】
タグ通信部４は、特定コマンド送信要求を受信すると、ステップＳ５において、特定コマンドをＲＦＩＤタグ２２に送信する。
【００４６】
ＲＦＩＤタグ２２は、特定コマンドを受信すると、ステップＳ６において、特定コマンドに対して応答する。具体的には、ＲＦＩＤタグ２２は、特定コマンドの内容に応じた応答信号をタグ通信部４に送信する。
【００４７】
タグ通信部４は、ＲＦＩＤタグ２２からの応答信号を受信すると、ステップＳ７において、特定コマンド送信要求に対する応答として、ＲＦＩＤタグ２２からの応答信号を制御部６に送信する。
【００４８】
制御部６は、応答信号を受信すると、ステップＳ８において、特定コマンドに対するＲＦＩＤタグ２２の応答性を確認する。具体的には、制御部６は、特定コマンド送信要求の送信からそれに対する応答信号を受信するまでの時間である応答時間が基準時間以内であるか否かを確認するとともに、応答信号の内容に基づき特定コマンドの指示通りの処理が行われたか否かを確認する。
【００４９】
応答時間が基準時間以内であり、かつ、特定コマンドの指示通りの処理が行われた場合、制御部６は、特定コマンドに対するＲＦＩＤタグ２２の応答性が正常であると判断する。それ以外の場合には、制御部６は、特定コマンドに対するＲＦＩＤタグ２２の応答性に異常があると判断する。
【００５０】
特定コマンドに対するＲＦＩＤタグ２２の応答性が正常であると判断した場合、制御部６は、電力制限状態のＲＦＩＤタグ２２とタグ通信部４との間の通信性が正常であると判断する。特定コマンドに対するＲＦＩＤタグ２２の応答性に異常があると判断した場合、制御部６は、電力制限状態のＲＦＩＤタグ２２とタグ通信部４との間の通信性に異常があると判断する。
【００５１】
次いで、ステップＳ９において、制御部６は、通常状態遷移要求をタグ通信部４に送信する。
【００５２】
タグ通信部４は、通常状態遷移要求を受信すると、ステップＳ１０において、通常状態遷移コマンドをＲＦＩＤタグ２２に送信する。
【００５３】
通常状態遷移コマンドを受信したＲＦＩＤタグ２２は、スリープ状態から通常状態へ遷移する。
【００５４】
また、ＲＦＩＤタグ２２は、ステップＳ１１において、通常状態遷移コマンドに対して応答する。具体的には、ＲＦＩＤタグ２２は、通常状態へ遷移したことを通知するための応答信号をタグ通信部４に送信する。
【００５５】
タグ通信部４は、ＲＦＩＤタグ２２からの応答信号を受信すると、ステップＳ１２において、特定コマンド送信要求に対する応答として、ＲＦＩＤタグ２２からの応答信号を制御部６に送信する。これにより、通信確認処理が終了となる。
【００５６】
上述の通信制確認処理において、電力制限状態のＲＦＩＤタグ２２とタグ通信部４との間の通信性に異常があると判断した場合、制御部６は、その旨をユーザに通知するための通知画面を操作パネル３の表示部に表示させる。そして、この際、制御部６は、ＲＦＩＤタグ２２の交換等の、通信を安定化させるための対処を促す表示も行う。
【００５７】
以上説明したように、印刷装置１では、通信確認処理において、制御部６は、スリープ状態遷移コマンドをタグ通信部４からＲＦＩＤタグ２２へ送信させる。ＲＦＩＤタグ２２は、スリープ状態遷移コマンドに従って、電力制限状態の１つであるスリープ状態になる。制御部６は、スリープ状態のＲＦＩＤタグ２２へタグ通信部４から特定コマンドを送信させる。ＲＦＩＤタグ２２は、タグ通信部４から送信された特定コマンドに応答する。制御部６は、この特定コマンドに対するＲＦＩＤタグ２２の応答性に基づき、電力制限状態におけるＲＦＩＤタグ２２とタグ通信部４との間の通信性を確認する。
【００５８】
このように、電力制限状態におけるＲＦＩＤタグ２２とタグ通信部４との間の通信性を確認することで、その通信性に異常があればそれを発見し、通信を安定化させるための対処が可能になるので、印刷装置１の信頼性を向上できる。
【００５９】
また、電力制限状態が特定コマンドのみに応答する状態であるので、電力制限状態でも重要なコマンドの通信を行いたい要求に対応できる。
【００６０】
また、電力制限状態のＲＦＩＤタグ２２が自力電力で動作するので、ＲＦＩＤタグ２２への供給電力不足で通信できなくなることを防止できる。
【００６１】
なお、上述した実施の形態では、通信確認処理において、特定コマンドの送信を１回のみ行うものとして説明したが、特定コマンドの送信を複数回行ってもよい。この場合、１回でも特定コマンドに対する応答性に異常があれば、ＲＦＩＤタグ２２とタグ通信部４との間の通信性に異常があると判断すればよい。
【００６２】
また、上述のように特定コマンドの送信を複数回行う場合において、所定間隔で特定コマンドを所定回数送信し、応答性が正常であるか否かにより、ＲＦＩＤタグ２２が正常品であるか否かを判定するようにしてもよい。この際、特定コマンドを送信する間隔および送信回数は、ＲＦＩＤタグ２２の仕様において応答可能な範囲に応じて設定すればよい。
【００６３】
上述したＲＦＩＤタグ２２が正常品であるか否かを判定する処理は、通信確認処理とは別の処理として任意のタイミングで行ってもよい。この場合、ＲＦＩＤタグ２２に送信するコマンドは、特定コマンド以外のコマンドであってもよい。
【００６４】
また、通信確認処理において、スリープ状態に遷移させたＲＦＩＤタグ２２に対して、タグ通信部４から特定コマンド以外のコマンドを送信し、タグ通信部４がそのコマンドに対する応答信号を受信した場合、混信が発生していると判断するようにしてもよい。
【００６５】
ここで、前述のように、スリープ状態のＲＦＩＤタグ２２は特定コマンド以外のコマンドには応答しない。このため、スリープ状態のＲＦＩＤタグ２２に特定コマンド以外のコマンドを送信したタグ通信部４がそのコマンドに対する応答信号を受信した場合、当該タグ通信部４に対応するＲＦＩＤタグ２２以外のＲＦＩＤタグ２２の中に通常状態のものがあり、そのＲＦＩＤタグ２２がコマンドを受信して応答したものとみなせる。したがって、この場合、タグ通信部４とそのタグ通信部４に対応するＲＦＩＤタグ２２以外のＲＦＩＤタグ２２との間で通信が行われる混信が発生していると判断できる。
【００６６】
また、上述した実施の形態では、電力制限状態のＲＦＩＤタグ２２が自力電力で動作するものとしたが、電力制限状態でも通信可能な程度の電力が印刷装置１から供給されている場合には、印刷装置１からの供給電力でＲＦＩＤタグ２２が動作するようにしてもよい。
【００６７】
また、上述した実施の形態では、ＲＦＩＤタグ２２が、電力制限状態が特定コマンドのみに応答する状態（特定状態）である場合について説明したが、特定コマンドのみに応答する状態は電力制限状態に限らない。例えば、ＲＦＩＤタグ２２とタグ通信部４との間の通信方式としてＦＭ変調方式とＡＭ変調方式とを切替可能な構成において、ＲＦＩＤタグ２２が一方の通信方式でタグ通信部４と通信を行う状態を、特定コマンドのみに応答する状態としてもよい。
【００６８】
また、ＲＦＩＤタグ２２が特定コマンドのみに応答する状態（特定状態）として、複数種類の状態があってもよい。
【００６９】
また、上述した実施の形態では、インクカートリッジを用いるインクジェット方式の印刷装置を例に説明したが、これに限らず、電子機器と通信可能なタグを有する装着ユニットが装着される電子機器であれば本発明は適用可能である。例えば、タグが取り付けられた紙管にマスター（孔版原紙）が巻かれたものを装着ユニットとして用いる孔版印刷装置にも本発明は適用可能である。
【００７０】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【００７１】
［付記］
本出願は、以下の発明を開示する。
【００７２】
（付記１）
外部と通信可能なタグを有する装着ユニットが装着される電子機器であって、
前記タグと通信するタグ通信部と、
前記タグ通信部を制御する制御部とを備え、
前記制御部は、
特定コマンドのみに応答する特定状態に前記タグを遷移させるコマンドを前記タグ通信部から前記タグへ送信させて前記タグを前記特定状態とし、
前記タグへ前記タグ通信部から前記特定コマンドを送信させ、前記特定コマンドに対する前記タグの応答性に基づき、前記タグと前記タグ通信部との間の通信性を確認することを特徴とする電子機器。
【００７３】
（付記２）
前記特定状態は、前記電子機器から前記タグへの供給電力が制限された状態であることを特徴とする付記１に記載の電子機器。
【００７４】
（付記３）
電子機器に装着される装着ユニットであって、
前記電子機器と通信するタグを備え、
前記タグは、前記電子機器からのコマンドに従って特定コマンドのみに応答する特定状態になり、前記電子機器から送信された前記特定コマンドに応答することを特徴とする装着ユニット。
【００７５】
（付記４）
前記特定状態は、前記電子機器から前記タグへの供給電力が制限された状態であることを特徴とする付記３に記載の装着ユニット。
【００７６】
（付記５）
前記タグは、前記電子機器からの供給電力が制限された状態において自力電力で動作することを特徴とする付記４に記載の装着ユニット。
【００７７】
（付記６）
電子機器に装着された装着ユニットのタグを特定コマンドのみに応答する特定状態に遷移させ、
前記電子機器のタグ通信部から前記特定状態の前記タグへ前記特定コマンドを送信し、前記特定コマンドに対する前記タグの応答性に基づき、前記タグと前記タグ通信部との間の通信性を確認することを特徴とする通信方法。
【００７８】
（付記７）
前記特定状態は、前記電子機器から前記タグへの供給電力が制限された状態であることを特徴とする付記６に記載の通信方法。
【００７９】
（付記８）
電子機器と通信するタグを備え、前記電子機器に装着される装着ユニットにおける通信方法であって、
前記タグが、前記電子機器からのコマンドに従って特定コマンドのみに応答する状態になり、前記電子機器から送信された前記特定コマンドに応答することを特徴とする通信方法。
【符号の説明】
【００８０】
１  印刷装置
２  印刷部
３  操作パネル
４  タグ通信部
５  装着部
６  制御部
１１  インクジェットヘッド
２１  インクカートリッジ
２２  ＲＦＩＤタグ
【図１】
2020181239.tif 000003
【図２】
2020181239.tif 000004
【図３】
2020181239.tif 000005